(57)【要約】  基本登録したサービス事業者がある場合には、ステップＳ１５に進み、ＩＰ放送サービスの有無を判定する。ＩＰ放送サービスが提供されていない場合には、ステップＳ１７に進み、他に基本登録したサービス事業者があるか否かを判定する。この判定において、他に基本登録したサービス事業者がない場合には、基本登録されているサービス事業者のポータルに遷移する。ステップＳ１５でＩＰ放送サービスが提供されていると判定された場合には、ステップＳ１６に進み、コーション表示がなされる。コーション表示においては、チャンネル情報の取得を促すための表示を行う。チャンネル情報を取得する場合には、ユーザへの報知のための表示を行い、チャンネル情報をこの段階で取得することができる。これによりＩＰ放送を選択した場合に、その受信装置が視聴可能な放送の有無を判断して遷移先の画面を切り替えることにより、迷うことなく操作できる。
2010041628.tif 000002
【特許請求の範囲】
【請求項１】
ＩＰ放送を受信可能なデジタル放送受信装置であって、
初回起動時に、ＩＰＴＶ機能に関する設定のうち、ＩＰアドレス・ＤＮＳの設定処理と、ＣＤＮ構成情報の取得処理と、ＰＦ構成情報の取得処理と、を行い、チャンネル情報の取得処理を行わないように制御する制御部を有することを特徴とするデジタル放送受信装置。
【請求項２】
前記制御部は、基本登録したサービス事業者がある場合に、前記チャンネル情報の取得処理を促すためのコーション表示を行うことを特徴とする請求項１に記載のデジタル放送受信装置。
【請求項３】
前記制御部は、基本登録したサービス事業者があり、ＩＰ放送サービスがない場合であっても、他に基本登録したサービス事業者がある場合には、再度、ＩＰ放送サービスの有無を判定することを特徴とする請求項２に記載のデジタル放送受信装置。
【請求項４】
前記制御部は、基本登録したサービス事業者があり、ＩＰ放送サービスがない場合であって他に基本登録したサービス事業者がない場合には、基本登録している中で設定されたポータルに遷移することを特徴とする請求項２に記載のデジタル放送受信装置。
【請求項５】
前記制御部は、基本登録したサービス事業者がない場合には、サービスのトップページに遷移することを特徴とする請求項１から４までのいずれか１項に記載のデジタル放送受信装置。
【請求項６】
ＩＰ放送を受信可能なデジタル放送受信装置における受信方法であって、
初回起動時に、ＩＰＴＶ機能に関する設定のうち、ＩＰアドレス・ＤＮＳの設定処理ステップと、ＣＤＮ構成情報の取得処理ステップと、ＰＦ構成情報の取得処理ステップと、を行い、チャンネル情報の取得処理ステップを行わないようにすることを特徴とする受信方法。
【請求項７】
請求項６に記載の方法をコンピュータに実行させるためのプログラム。
【請求項８】
請求項７に記載のプログラムを記録したコンピュータ読みとり可能な記録媒体。
【発明の詳細な説明】
【技術分野】
【０００１】
本発明は、デジタル放送受信技術に関し、特に、ＩＰＴＶ機能を備えたデジタル放送受信装置に関する。
【背景技術】
【０００２】
デジタル放送受信装置においては、多くの機能を備えた多機能機器が多く、さらに、最近ではＩＰＴＶ機能を備えた装置が出始めてきている。装置が多機能になるにつれて、画面遷移も頻繁になり、ユーザにとっても作業をスムーズに進めるのが難しくなってきている。【０００３】
下記特許文献１に記載の技術は、チューナで受信可能なチャンネルの中に正常に受信することができないチャンネルがある場合に、それをユーザに把握させることのできる装置に関する開示がなされている。
【特許文献１】特開２００８−５３９７５号公報
【発明の開示】
【発明が解決しようとする課題】
【０００４】
近年、デジタル放送受信装置を用いて、デジタル放送番組以外にも様々なサービス、例えばインターネットを利用したＩＰ放送やＶＯＤなどのＩＰＴＶサービスを利用することができるようになってきている。このように、放送サービスの幅が広がり、ＩＰＴＶサービスやその他サービスを放送受信装置で視聴するようになると、以前から必要であった視聴者の居住地域情報の入力など以外にも、視聴者がどのようなサービス事業者と契約し、また、そのサービス事業者が放送を持つ事業者であるか否かなどの詳細な情報入力や新たな設定操作が必要となってきた。そこで、視聴者には大きな負担がかかるという問題があった。従って、サービスの拡大を簡単には視聴者が享受できないという問題もある。【０００５】
本発明は、ＩＰ放送を選択した場合に、その受信装置が視聴可能な放送の有無を判断して遷移先の画面を切り替えることにより、迷うことなく操作できるようにすることを目的とする。
【課題を解決するための手段】
【０００６】
本発明は、視聴者が契約を行ったか否か、視聴可能な放送の有無に応じて、放送受信装置側で、事前に判別するようにしたものである。これによって、視聴者の契約の状態や、サービス事業者の提供するサービスに応じて、遷移先の画面を切り替えることが可能となることを特徴とする。【０００７】
本発明の一観点によれば、ＩＰ放送を受信可能なデジタル放送受信装置であって、初回起動時に、ＩＰＴＶ機能に関する設定のうち、ＩＰアドレス・ＤＮＳの設定処理と、ＣＤＮ構成情報の取得処理と、ＰＦ構成情報の取得処理と、を行い、チャンネル情報の取得処理を行わないように制御する制御部を有することを特徴とするデジタル放送受信装置が提供される。【０００８】
サービスを提供する事業者によっては、事前にオンラインでの基本登録などが必要になる場合がある。ＩＰ放送サービスを実際に利用するためには、チャンネル情報の取得が必要である。しかしながら、１）事前にポータルでの基本登録が必要な場合があること、２）サービスのタイプによってはＩＰ放送サービスが提供されない場合もあることから、ＩＰＴＶの初期設定ではチャンネル情報の取得はあえて行わないようにする。尚、基本登録とは、ユーザ側の情報を、サービス提供側に知らせてサービスを有効化させる処理である。この有効化の後にある時間が経過すると、チャンネル設定が可能となる。【０００９】
前記制御部は、基本登録したサービス事業者がある場合に、前記チャンネル情報の取得処理を促すためのコーション表示を行うことが好ましい。前記制御部は、基本登録したサービス事業者があり、ＩＰ放送サービスがない場合であっても、他に基本登録したサービス事業者がある場合には、再度、ＩＰ放送サービスの有無を判定するようにしても良い。【００１０】
前記制御部は、基本登録したサービス事業者があり、ＩＰ放送サービスがない場合であって他に基本登録したサービス事業者がない場合には、基本登録しているポータルに遷移することが好ましい。前記制御部は、基本登録したサービス事業者がない場合には、ポータルに遷移することが好ましい。【００１１】
本発明の他の観点によれば、ＩＰ放送を受信可能なデジタル放送受信装置における受信方法であって、初回起動時に、ＩＰＴＶ機能に関する設定のうち、ＩＰアドレス・ＤＮＳの設定処理ステップと、ＣＤＮ構成情報の取得処理ステップと、ＰＦ構成情報の取得処理ステップと、を行い、チャンネル情報の取得処理ステップを行わないようにすることを特徴とする受信方法が提供される。【００１２】
本発明は、上記の方法をコンピュータに実行させるためのプログラムであっても良く、該プログラムを記録したコンピュータ読みとり可能な記録媒体であっても良い。プログラムは、インターネットなどの伝送媒体を介して取得されたものでも良い。【００１３】
本明細書は本願の優先権の基礎である日本国特許出願２００８−２６０７３８号の明細書および／または図面に記載される内容を包含する。
【発明の効果】
【００１４】
本発明によれば、視聴者がＩＰ放送を選択した場合に、その受信装置が視聴可能な放送の有無を判断して遷移先の画面を切り替えることにより、膨大なサービスの中で迷うことなく操作が可能となる。
【図面の簡単な説明】
【００１５】
【図１】本発明の一実施の形態によるデジタル放送受信装置の一構成例を示す図である。
【図２】初回起動時のＩＰＴＶに関する設定処理の流れを示すフローチャート図である。
【図３】ＩＰＴＶ選択時の選局パターンの一例を示すフローチャート図である。
【図４】チャンネル情報の取得に関する表示画面例を示す図である。
【図５】チャンネル情報の取得に関する表示画面例を示す図である。
【符号の説明】
【００１６】
Ａ…デジタル放送受信装置、１…フロントエンド、３…デマルチプレクサ、５…映像・音声デコード、７…音声出力部、１１…番組情報デコード部、１７…画面合成部、２１…表示部、２５…制御部、２８…インターフェイス部、ＮＴ…インターネット、Ｂ…コンテンツサーバ。
【発明を実施するための最良の形態】
【００１７】
まず、本発明の実施の形態について説明する前に、基本的な用語について以下に定義しておく。【００１８】
１）ＣＤＮ(Contents Delivery Network)：デジタルコンテンツを配信する目的で設計されたネットワークのことである。【００１９】
２）ＣＤＮ構成情報：時刻情報を取得するための情報やＰＦ構成情報を取得するためのＵＲＬを持つ。【００２０】
３）ＰＦ構成情報：ＩＰ放送サービスの提供の有無、チャンネル情報を取得するための情報や、自身に含まれるサービス事業者の情報（ポータルのＵＲＬなど）を持つ。この情報を取得するためのＵＲＬはＣＤＮ構成情報に記述されている。【００２１】
４）ＩＰＴＶサービス：ＩＰ放送、ポータル、ＶＯＤなどのサービスの総称。【００２２】
以下に、本発明の一実施の形態によるデジタル放送受信技術について、図面を参照しながら説明を行う。図１は、本実施の形態によるデジタル放送受信装置の一構成例を示す図である。図１に示すデジタル放送受信装置Ａは、アンテナから受信したデジタル放送の信号を受信して選局するなどの処理を行うフロントエンド１と、デマルチプレクサ３と、デマルチプレクサ３からの出力をデコードする映像・音声デコード５と、デコードされた映像信号と後述する番組表データとを合成して表示させるための信号を生成する画面合成部１７と、画面合成部１７で合成した信号に基づく表示部２１と、音声を出力する音声出力部７と、を有している。【００２３】
さらに、デマルチプレクサ３から出力された番組情報をデコードする番組情報デコード部１１と、番組情報デコード部１１によりデコードされた番組情報に基づいて電子番組表を生成する電子番組表生成部１５と、を備える。【００２４】
加えて、他の外部機器との間のインターフェイスを形成するインターフェイス部２８と、制御機器であるリモコン装置からのリモコン信号を受信するリモコン受光部２３と、全体を制御する制御部（ＣＰＵ）２５と、制御部２５において実行され、各種の処理を行わせるためのアプリケーションプログラムを記録し、そのプログラムを展開してＣＰＵに提供するメモリ部（ＲＡＭ・ＲＯＭ）２７と、を有している。インターフェイス部２８は、インターネット（ＮＴ）を介して、コンテンツサーバＢからデジタルコンテンツの配信を受けることができる。制御部２５は、ＩＰＴＶ選択時の選局に関する制御も行う。【００２５】
ＩＰＴＶ受信可能な放送受信装置がＩＰ放送を受信するためには、ＩＰアドレス・ＤＮＳの設定、ＣＤＮ構成情報の取得、ＰＦ構成情報の取得、チャンネル情報の取得、が必要となる。サービスを提供する事業者によっては、事前にオンラインでの基本登録などが必要になる場合がある。尚、基本登録とは、ユーザ側の情報を、サービス事業者側に知らせてサービスを有効化させる処理である。この有効化の後にある時間が経過すると、チャンネル設定が可能となる。【００２６】
図２は、初回起動時のＩＰＴＶに関する設定処理の一例を示すフローチャート図である。本実施の形態によるデジタル放送受信装置では、初回起動時にＩＰＴＶに関する設定（以下、「ＩＰＴＶ設定」と称する。）を開始し（ステップＳ１：Ｓｔａｒｔ）、次いで、ステップＳ２においてＩＰアドレス・ＤＮＳの設定する処理を行う。次いで、ステップＳ３においてＣＤＮ構成情報の取得する処理を行う。さらに、ステップＳ４において、ＰＦ構成情報の取得処理等を行い、処理を終了する（ステップＳ５）。この処理の終了時点から、デジタル放送受信装置は、サービス事業者の提供するポータルサービスを利用することができるようになる。【００２７】
ＩＰ放送サービスを実際に利用するためには、チャンネル情報の取得が必要である。しかしながら、１）事前にポータルでの基本登録が必要な場合があること、２）サービスのタイプによってはＩＰ放送サービスが提供されない場合もあることから、ＩＰＴＶ設定ではチャンネル情報の取得はあえて行わない。【００２８】
図３は、ＩＰＴＶ選択時の選局パターン処理の流れの一例を示すフローチャート図である。【００２９】
デジタル放送受信装置の仕様として、ユーザがＩＰＴＶサービスを利用しようとしたとき（例えば、入力切替やダイレクトボタンなどでＩＰＴＶサービスを選択したとき）に、地上デジタル放送やＢＳデジタル放送と同じように、ＩＰ放送を受信するようにしたい場合でも、ＩＰＴＶ設定のみを行っている状態では、ＩＰ放送のチャンネル情報は取得されていないため、ＩＰ放送を受信することはできない。【００３０】
ここで、ＩＰＴＶを選択したときに（ステップＳ１１：Ｓｔａｒｔ）、チャンネル情報が取得されていなければ（ステップＳ１２でＮＯ）、デジタル放送受信装置は、ステップＳ１４の処理に進み、基本登録したサービス事業者があるか否か（サービス事業者の有無）を判定する。【００３１】
また、チャンネル情報の取得を行った後に（ステップＳ１２でＹＥＳ）、ＩＰＴＶサービスが選択された場合は、ＩＰ放送に選局することができる（ステップＳ１３）。ＩＰＴＶを選択するのが２回目以降の場合は、最後に選択したチャンネルを自動的に選局するようにしてもよい。【００３２】
基本登録したサービス事業者がない場合には（ステップＳ１４でＮＯ）、ステップＳ１９に進み、ポータルに遷移し基本登録の処理を促す。複数のポータルがある場合は、初回起動時の設定でどのポータルを表示させるかを選択してもよいし、一番初めに登録されたポータルを選択するようにしてもよい。【００３３】
一方、基本登録したサービス事業者がある場合には（ステップＳ１４でＹＥＳ）、ステップＳ１５に進み、ＩＰ放送サービスの有無を判定する。ＩＰ放送サービスが提供されていない場合には（ＮＯ）、ステップＳ１７に進み、他に基本登録したサービス事業者があるか否かを判定する。この判定において、他に基本登録したサービス事業者がない場合には（ＮＯ）、基本登録されているサービス事業者のポータルに遷移する。複数の基本登録をしたポータルがある場合は、その中で一番初めに登録されたポータルを選択するようにしてもよい。【００３４】
ステップＳ１５でＩＰ放送サービスが提供されていると判定された場合には（ＹＥＳ）、ステップＳ１６に進み、コーション表示がなされる。コーション表示においては、符号４１で示すように、「ＩＰ放送のチャンネルがありません。ポータルに記載の案内を確認の上、チャンネル情報の取得を行って下さい。」など、チャンネル情報の取得を促すための表示を行う。これにより、チャンネル情報の取得を確実に行わせることができる。【００３５】
次に、チャンネル情報の取得について説明する。図４・図５は、チャンネル情報の取得に関する表示画面例を示す図である。デジタル放送受信装置は、図４に示すように、表示画面２１ｄにおいて、例えば、「チャンネルサーチを行い、受信できるＩＰＴＶのチャンネルを自動登録します。あらかじめポータルでの登録が必要な場合があります。また、契約内容によっては放送サービスが提供されない場合もあります。チャンネルサーチを実行しますか？」などの但し書き付きのユーザへチャンネル情報の取得を促す表示７１を行い、ユーザからの「する」７７、「しない」７３のいずれかの選択を受けて、「する」７７の場合には、下の表示画面２１ｅへ、「しない」７３の場合には設定終了７５に進む。【００３６】
表示画面２１ｅにおいて、「視聴可能な放送局を確認しています。しばらくお待ちください。」８１との表示と、「○○○○のチャンネル情報を取得中」というユーザへの報知のための表示を行い、チャンネル情報の取得を行い、以下、図５に示す処理に遷移する。尚、「中止」８３が押された場合には、チャンネル情報の取得を中断し、以下、図５に示す処理に遷移する（８５）。これにより、チャンネル情報をこの段階で取得することができる。次に、チャンネル情報の取得処理の詳細について図５を参照しながら説明する。チャンネルが１つ以上見つかったときは（図５（ａ））、表示画面２１ｆにおいて、「ＩＰＴＶのチャンネルを登録しました。」とのメッセージ表示とともに、ＰＦ名とチャンネル名と、設定値である３桁の数字を有するチャンネル情報を設定（メモリに記録）し、終了ボタン９３を押して設定を終了させる（９５）。【００３７】
チャンネル情報が見つからなかった時は（図５（ｂ））、表示画面２１ｇに示すように、「ＩＰＴＶのチャンネルが見つかりませんでした。あらかじめポータルでの登録が必要な場合があります。また、契約内容によっては放送サービスが提供されない場合もあります。」とのユーザへのメッセージ表示１０１に加えて、「チャンネルサーチを終了しますか？または再度実行しますか？」とのメッセージにより選択を促し、「終了」１０３が押されると設定終了１０５に進み、「再実行」１０７が押されると、再実行処理１１１が行われるようになっている。【００３８】
このように、ＩＰＴＶ選択時に、チャンネル情報がなく、基本登録したサービス事業者があり、ＩＰ放送サービスがある場合には、ユーザにチャンネル情報取得のためのコーション表示を行うことで、この条件下においてチャンネル情報を取得させる。【００３９】
以上の仕組みによって、ユーザはＩＰ放送を受信するための設定をスムーズに行うことができるようになっている。【００４０】
以上に説明したように、本実施の形態によれば、視聴者がＩＰ放送を選択した場合に、その受信装置が視聴可能な放送の有無によって遷移先の画面が切り替わっても、膨大なサービスの中で迷うことなく操作が可能となるという利点がある。【００４１】
尚、本発明による受信機においては、アンテナからデジタル放送を受信する機能までは必須ではないものであり、ＩＰＴＶ専用の装置でもよい。
【産業上の利用可能性】
【００４２】
本発明は、ＩＰ放送を受信することができるデジタル放送受信装置に利用可能である。
【図１】
2010041628.tif 000003
【図２】
2010041628.tif 000004
【図３】
2010041628.tif 000005
【図４】
2010041628.tif 000006
【図５】
2010041628.tif 000007
【国際調査報告】
2010041628.tif 000008
2010041628.tif 000009